(57)【要約】      （修正有）【課題】ユーザが任意の場所で所望のケーブルＴＶの情報を獲得する事を補助するリモートコントローラを提供する。【解決手段】リモートコントローラは、第１のビデオ／オーディオ送受信装置および第２のビデオ／オーディオ送受信装置を含む。第１のＡＶ送受信装置は、制御コマンド信号を受取り、ワイヤレス通信で伝送されるように圧縮する。第２のＡＶ送受信装置は、ケーブルに連結され、ワイヤレス通信を通して、第１のＡＶ送受信装置と通信する。第２のＡＶ送受信装置は、制御コマンド信号を含むワイヤレス制御パケットを受取る。第２のＡＶ送受信装置は、制御コマンド信号に従って入力チャンネル信号に対応するチャンネルを選択し、ユーザによって選択されるチャンネルを圧縮し、ワイヤレス通信で第１のＡＶ送受信装置へ伝送する。最後に、第１のＡＶ送受信装置は、選択されたチャンネルを含むワイヤレスＡＶパケットを受取り、出力ＡＶ信号を生成する。【選択図】図１
2007189656.tif 000002
【特許請求の範囲】
【請求項１】
ケーブルコネクタ付リモートコントローラであって、それを通じて前記リモートコントローラは、チャンネル権利者によって提供される入力チャンネル信号を受け取るために前記チャンネル権利者のチャンネル伝送機器に接続され、前記リモートコントローラは、
制御コマンド信号を受け取り、ワイヤレス通信用に前記制御コマンド信号を圧縮するための第１のオーディオ／ビデオ（ＡＶ）送受信装置と、
前記制御コマンド信号を含むワイヤレス制御パケットを受け取り且つ前記制御コマンド信号に従って前記入力チャンネル信号に対応するチャンネルを選択するために、前記１のＡＶ送受信装置と通信する第２のＡＶ送受信装置であって、前記第２のＡＶ送受信装置は、前記選択されたチャンネルを圧縮し、前記圧縮された選択されたチャンネルを前記第１のＡＶ送受信装置へ伝送し、前記第１のＡＶ送受信装置は、前記選択されたチャンネルを含むワイヤレスＡＶパケットを受け取り、出力ＡＶ信号を生成する第２のＡＶ送受信装置と、
を具備するリモートコントローラ。
【請求項２】
前記第１のＡＶ送受信装置は、
前記制御コマンド信号を受け取るレシーバと、
前記レシーバに連結された第１のプロセッサと、
前記第１のプロセッサに連結され、前記第２のＡＶ送受信装置によって伝送された前記ワイヤレスＡＶパケットを受け取り、前記ワイヤレスＡＶパケットを解凍し出力し、次いで、前記第１のプロセッサおよび前記レシーバを通して前記制御コマンド信号を受け取り、前記制御コマンド信号を圧縮して前記制御コマンド信号を含む前記ワイヤレス制御パケットを生成し、次いで、ワイヤレス伝送で前記ワイヤレス制御パケットを伝送するための第１のワイヤレス伝送モジュールと、
前記第１のプロセッサに連結され、前記第１のプロセッサを通して前記第１のワイヤレス伝送モジュールの出力を受け取り、前記第１のワイヤレス伝送モジュールの出力に従って出力ＡＶ信号を生成するための信号出力装置と、
を具備する請求項１記載のリモートコントローラ。
【請求項３】
前記第１のワイヤレス伝送モジュールは、ワイヤレスフィデリティ（Ｗｉ−Ｆｉ）伝送モジュールである請求項２記載のリモートコントローラ。
【請求項４】
前記ワイヤレス制御パケットは、８０２．１１ｂスタンダードに従って生成される請求項２記載のリモートコントローラ。
【請求項５】
前記ワイヤレス制御パケットは、８０２．１１ｇスタンダードに従って生成される請求項２記載のリモートコントローラ。
【請求項６】
前記第２のＡＶ送受信装置は、
前記第１のＡＶ送受信装置によって伝送された前記ワイヤレス制御パケットを受け取り、前記ワイヤレス制御パケットを解凍し出力するための第２のワイヤレス伝送モジュールと、
前記第２のワイヤレス伝送モジュールに連結された第２のプロセッサと、
前記第２のプロセッサに連結されたチャンネル選択装置と、
ケーブル、前記チャンネル選択装置および前記第２のプロセッサにそれぞれ連結され、前記ケーブルから提供された前記入力チャンネル信号を受け取るための画像抽出装置であって、前記画像抽出装置は、順次、前記チャンネル選択装置および前記第２のプロセッサを通して前記第２のワイヤレス伝送モジュールの出力を受け取り、前記第２のワイヤレス伝送モジュールの出力に従って前記入力チャンネル信号に対応するチャンネルを選択し、前記チャンネルを前記第２のプロセッサへ出力し、前記第２のプロセッサは、前記チャンネルのＡＶコンテンツを圧縮して前記第２の伝送モジュールへ出力し、前記第２の伝送モジュールが、前記第２のプロセッサの前記出力を圧縮して前記チャンネルを含むワイヤレスＡＶパケットを生成するようにし、次いで、前記第２のワイヤレス伝送モジュールはワイヤレス通信で前記ワイヤレスＡＶパケットを伝送する画像抽出装置と、
を具備する請求項１記載のリモートコントローラ。
【請求項７】
前記第２のワイヤレス伝送モジュールは、ワイヤレスフィデリティ（Ｗｉ−Ｆｉ）伝送モジュールである請求項６記載のリモートコントローラ。
【請求項８】
前記ワイヤレスＡＶパケットは、８０２．１１ｂスタンダードに従って生成される請求項６記載のリモートコントローラ。
【請求項９】
前記ワイヤレスＡＶパケットは、８０２．１１ｇスタンダードに従って生成される請求項６記載のリモートコントローラ。
【請求項１０】
ユーザによって入力されたコマンドを受け取り、且つ、前記コマンドに従って前記制御コマンド信号を出力するためのリモータをさらに具備する請求項１記載のリモートコントローラ。
【発明の詳細な説明】
【技術分野】
【０００１】
本発明は、リモートコントローラに関し、より詳細には、ワイヤレス伝送技術を使用するリモートコントローラに関する。
【背景技術】
【０００２】
近年、ケーブルＴＶチャンネルが甚だしくリリースされ且つチャンネルのオーディオ／ビデオ（以下ＡＶと略す）コンテンツの多様性のため、ケーブルＴＶチャンネルから情報を獲得しようとするユーザの要求は、ますます積極的になっている。例えば、ユーザは、ニュース、金融情報、および、様々なショッピングチャンネルからのショッピング情報等の情報を獲得することができる。ここで、ケーブルＴＶチャンネルは、教育番組、娯楽番組、旅行番組、および、映画も含む。しかし、各ユーザは異なる情報を望むため、多くの家庭では、家族各人用の異なる必要性を果たすために、２つ以上のテレビを求めることもある。
【０００３】
ＴＶチャンネルを見るために、テレビは、ケーブルを通してケーブルＴＶチャンネル権利者用のチャンネル伝送機器に接続されなければならず、場合によっては、特別なレシーバ、例えばデジタルセットトップボックスをテレビに付け加えなければならない。従って、新しいテレビを買うたびに、追加ケーブル（特別なセットトップボックスも）が必要である。状況により、新しいテレビは、普通、リビングルーム以外の場所（または部屋）に置かれ、従って、テレビに接続するためのケーブルの配線を拡張する必要がある。加えて、ユーザは、普通、覆われていない方法で、テレビに接続するためのケーブルを配置し、普通、いくつかの追加固定部品を使用してケーブルを固定し、これは、元々の室内環境を台無しにする。さらに、ケーブルのレイアウトデザインが粗末な場合には、ユーザの活動をさらに不便にし、ユーザをつまずかせることさえあり、従って、ユーザは怪我をする。
【０００４】
加えて、ケーブルは、上述のやり方で固定されたレイアウトを有するため、ひとたびテレビを移動すると、配線を再ケーブルしなければならず、これには、多くの時間が消費され、骨の折れる作業を必要する。さらに、ＴＶがケーブルを通して接続されるため、ＴＶ配置用の自由度は低下し、ＴＶの限られた空間での配置のため、ユーザは、任意の場所で所望の情報を得ることができない。
【発明の開示】
【発明が解決しようとする課題】
【０００５】
従って、本発明の目的は、ユーザが任意の場所で所望の情報を獲得するのを補助するリモートコントローラを提供することである。
【課題を解決するための手段】
【０００６】
上述および他の目的を達成するために、本発明は、リモートコントローラを提供する。リモートコントローラは、チャンネル権利者によって提供されるチャンネル信号を受け取るためにチャンネル権利者のチャンネル伝送機器に接続されるためのケーブルコネクタを有する。本発明によって提供されるリモートコントローラは、第１のビデオ／オーディオ（ＡＶ）送受信装置および第２のビデオ／オーディオ送受信装置を含む。第１のＡＶ送受信装置は、制御コマンド信号を受け取り、ワイヤレス通信で伝送されるように、これを圧縮する。第２のＡＶ送受信装置は、ワイヤレス通信を通して、第１のＡＶ送受信装置と通信する。第２のＡＶ送受信装置は、制御コマンド信号を含むワイヤレス制御パケットを受け取る。加えて、第２のＡＶ送受信装置は、制御コマンド信号に従ってチャンネルを選択し、ユーザによって選択されたチャンネルを圧縮し、これをワイヤレス通信で第１のＡＶ送受信装置へ転送する。最後に、第１のＡＶ送受信装置は、選択されたチャンネルを含むワイヤレスＡＶパケットを受け取り、次いで、出力ＡＶ信号を生成する。
【０００７】
本発明の好ましい実施の形態に従って、上述のリモートコントローラにおいて、第１のＡＶ送受信装置は、レシーバと、第１のプロセッサと、第１のワイヤレス伝送モジュールと、信号出力装置と、を具備する。レシーバは、ユーザによって入力された制御コマンド信号を受け取り、第１のプロセッサは、レシーバに連結される。第１のワイヤレス伝送モジュールは、第１のプロセッサに連結され、第２のＡＶ送受信装置によって伝送されたワイヤレスＡＶパケットを受け取り、解凍されたワイヤレスＡＶパケットを、解凍された後に出力する。加えて、第１のワイヤレス伝送モジュールは、第１のプロセッサおよびレシーバを通して制御コマンド信号を受け取り、制御コマンド信号を圧縮して制御コマンド信号を含むワイヤレス制御パケットを生成し、次いで、ワイヤレス通信でワイヤレス制御パケットを伝送する。信号出力装置は、第１のプロセッサに連結され、第１のプロセッサを通して第１のワイヤレス伝送モジュールから出力を受け取る。次いで、信号出力装置は、第１のワイヤレス伝送モジュールの出力に従って、出力ＡＶ信号を生成する。
【０００８】
本発明の好ましい実施の形態に従って、上述のリモートコントローラにおいて、第２のＡＶ送受信装置は、第２のワイヤレス伝送モジュールと、第２のプロセッサと、チャンネル選択装置と、画像抽出装置と、を具備する。第２のワイヤレス伝送モジュールは、第１のＡＶ送受信装置によって伝送されるワイヤレス制御パケットを受け取り、解凍されたワイヤレス制御パケットを、解凍された後に出力する。第２のプロセッサは、第２のワイヤレス伝送モジュールに連結され、チャンネル選択装置は、第２のプロセッサに連結される。画像抽出装置は、ケーブルコネクタ、チャンネル選択装置および第２のプロセッサにそれぞれ連結され、ケーブルを通して提供された入力チャンネル信号を受け取る。加えて、画像抽出装置は、順次、チャンネル選択装置および第２のプロセッサを通して第２のワイヤレス伝送モジュールから出力を受け取る。さらに、画像抽出装置は、第２のワイヤレス伝送モジュールの出力に従って入力チャンネル信号に対応するチャンネルを選択し、選択されたチャンネルを第２のプロセッサへ提供する。次いで、第２のプロセッサは、チャンネルのＡＶコンテンツを圧縮し、圧縮されたコンテンツを第２の伝送モジュールへ提供する。最後に、第２の伝送モジュールは、第２のプロセッサの出力を圧縮してチャンネルのＡＶコンテンツを含むワイヤレスＡＶパケットを生成し、ワイヤレス通信でワイヤレスＡＶパケットを伝送する。
【０００９】
本発明の好ましい実施の形態に従って、上述のリモートコントローラの第１のＡＶ送受信装置内にある第１のワイヤレス伝送モジュールは、ワイヤレスフィデリティ（Ｗｉ−Ｆｉ）伝送モジュールであってもよい。
【００１０】
本発明の好ましい実施の形態に従って、上述のリモートコントローラの第２のＡＶ送受信装置内にある第２のワイヤレス伝送モジュールは、ワイヤレスフィデリティ（Ｗｉ−Ｆｉ）伝送モジュールであってもよい。
【発明の効果】
【００１１】
要約すると、ワイヤレス伝送技術を備えたリモートコントローラが、本発明の使用に適用される。従って、このリモートコントローラが、ユーザによって、テレビまたはＬＣＤディスプレイとケーブルとの間に設置される限り、テレビまたはＬＣＤディスプレイは、物理的なケーブルレイアウトによって限定されることなく、任意の所望の場所に設置することができる。
【００１２】
添付の図面は、本発明のさらなる理解を提供するために含まれ、本明細書の一部に組み込まれ、これを構成する。図面は、本発明の実施の形態を図示し、説明とともに、本発明の原則を説明するように作用する。
【発明を実施するための最良の形態】
【００１３】
図１は、本発明の好ましい実施の形態に従ったリモートコントローラの回路ブロック図を概略的に示す。図１を参照すると、リモートコントローラ１００は、第１のＡＶ送受信装置１０２および第２のＡＶ送受信装置１０４を具備する。第１のＡＶ送受信装置１０２および第２のＡＶ送受信装置１０４は、ワイヤレス通信で互いに通信する。第１のＡＶ送受信装置１０２は、第２のＡＶ送受信装置１０４によって伝送されたワイヤレスＡＶパケットＷＶＳＰと、ユーザによって入力された制御コマンド信号ＣＭＳと、を受け取る。加えて、第１のＡＶ送受信装置１０２は、ワイヤレスＡＶパケットＷＶＳＰに従って出力ＡＶ信号ＯＶＳＳを生成し、制御コマンド信号ＣＭＳを含むワイヤレス制御パケットＷＣＰを生成する。さらに、第２のＡＶ送受信装置１０４は、ケーブルに連結され、これは、リモートコントローラのケーブルコネクタを通してチャンネル権利者のチャンネル伝送機器に接続され、第２のＡＶ送受信装置１０４が、チャンネル権利者によって提供された入力チャンネル信号と、第１のＡＶ送受信装置１０２によって伝送されたワイヤレス制御パケットＷＣＰと、を受け取ることができるようにする。さらに、第２のＡＶ送受信装置１０４は、入力チャンネル信号のチャンネルを選択し、選択されたチャンネルを含むワイヤレスＡＶパケットＷＶＳＰをさらに生成する。
【００１４】
第１のＡＶ送受信装置１０２は、レシーバ１０６と、第１のプロセッサ１０８と、第１のワイヤレス伝送モジュール１１０と、信号出力装置１１２と、を具備する。第１のプロセッサ１０８は、レシーバ１０６および信号出力装置１１２に連結され、第１のワイヤレス伝送モジュール１１０は、第１のプロセッサ１０８に連結される。第２のＡＶ送受信装置１０４は、第２のワイヤレス伝送モジュール１１４と、第２のプロセッサ１１６と、チャンネル選択装置１１８と、画像抽出装置１２０と、を具備する。第２のプロセッサ１１６は、第２のワイヤレス伝送モジュール１１４に連結され、チャンネル選択装置１１８は、第２のプロセッサ１１６に連結される。画像抽出装置１２０は、第２のプロセッサ１１６およびチャンネル選択装置１１８にそれぞれ連結される。さらに、画像抽出装置１２０は、ケーブルに連結され、これは、ケーブルコネクタを通して、チャンネル権利者のチャンネル伝送機器からユーザの家へ接続される。
【００１５】
好ましい本実施の形態において、第１のワイヤレス伝送モジュール１１０および第２のワイヤレス伝送モジュール１１４は、ワイヤレスフィデリティ（Ｗｉ−Ｆｉ）伝送モジュールであってもよく、圧縮されたワイヤレスＡＶパケットおよびワイヤレス制御パケットは、ワイヤレス通信プロトコルを使用することによって伝送される。しかし、本発明の他の用途において、これは、例えば、任意の種類のワイヤレス伝送モジュールを使用してもよいが、それに限定されない。本発明を容易に記載するために、第１のＡＶ送受信装置１０２および第２のＡＶ送受信装置１０４の操作は、下記に一緒に記載される。
【００１６】
第１に、レシーバ１０６は、ユーザによって入力された制御コマンド信号ＣＭＳを受け取り、制御コマンド信号ＣＭＳに従って制御信号を出力する。次いで、第１のプロセッサ１０８は、制御信号を受け取り、制御信号を圧縮制御信号に圧縮し、次いでこれは第１のワイヤレス伝送モジュール１１０へ送られる。次いで、第１のワイヤレス伝送モジュール１１０は、Ｗｉ−Ｆｉ通信プロトコルに従って、受け取った圧縮された制御信号から、ワイヤレス制御パケットＷＣＰを生成する。ワイヤレス制御パケットＷＣＰは、そのフォーマットが何回も変換された制御コマンド信号ＣＭＳを含む。ここで、複数回のフォーマット変換は、制御コマンド信号ＣＭＳが、レシーバ１０６、第１のプロセッサ１０８および第１のワイヤレス伝送モジュール１１０によって、順次処理され変換され、信号フォーマットが何回も変えられているようにすることを示す。しかし、処理され変換された後の信号の内容は、ユーザによって元々入力される制御コマンド信号ＣＭＳの内容を依然として含む。さらに、第１のワイヤレス伝送モジュール１１０は、ワイヤレス通信でワイヤレス制御パケットＷＣＰを第２のワイヤレス伝送モジュール１１４へ伝送する。
【００１７】
次いで、第２のワイヤレス伝送モジュール１１４は、受け取ったワイヤレス制御パケットＷＣＰを解凍し、第１のプロセッサ１０８から出力された圧縮制御信号を回復し、圧縮制御信号を第２のプロセッサ１１６へ提供する。第２のプロセッサ１１６は、圧縮制御信号を解凍してチャンネル制御信号を生成し、次いでチャンネル制御信号をチャンネル選択装置１１８へ提供する。チャンネル選択装置１１８は、チャンネル制御信号に従ってチャンネル選択信号を生成し、チャンネル選択信号を画像抽出装置１２０へ提供する。
【００１８】
画像抽出装置１２０は、ケーブルから受け取ったチャンネル選択信号に従って、入力チャンネル信号に対応するチャンネルを抽出し選択し、チャンネルは、ユーザが見たいと思うものである。次いで、画像抽出装置１２０は、このチャンネルのチャンネル信号を第２のプロセッサ１１６へ提供する。第２のプロセッサ１１６は、受け取ったチャンネル信号を、特定のフォーマットで圧縮されたＡＶ信号に圧縮する。例えば、画像ファイルはＭＰＥＧフォーマットで圧縮され、オーディオファイルはＭＰ３（ＭＰＥＧ１レイヤ３）フォーマットで圧縮される。次いで、第２のプロセッサ１１６は、圧縮されたＡＶ信号を第２のワイヤレス伝送モジュール１１４へ提供する。
【００１９】
第２のワイヤレス伝送モジュール１１４は、Ｗｉ−Ｆｉ通信プロトコルに従って、圧縮されたＡＶ信号から、ワイヤレスＡＶパケットＷＶＳＰを生成する。ワイヤレスＡＶパケットＷＶＳＰは、そのフォーマットが何回も変換された選択されたチャンネルを含む。ここで、複数回のフォーマット変換は、選択されたチャンネルが、画像抽出装置１２０、第２のプロセッサ１１６および第２のワイヤレス伝送モジュール１１４によって、順次処理され変換され、信号フォーマットが何回も変えられているようにすることを示す。しかし、処理され変換された後のチャンネルのコンテンツは、依然として、ユーザによって元々選択される選択チャンネルのコンテンツを含む。加えて、第２のワイヤレス伝送モジュール１１４は、ワイヤレスＡＶパケットＷＶＳＰを第１のワイヤレス伝送モジュール１１０へ伝送する。
【００２０】
次いで、第１のワイヤレス伝送モジュール１１０は、受け取ったワイヤレスＡＶパケットＷＶＳＰを解凍し、第２のプロセッサ１１６から出力された圧縮されたＡＶ信号を回復し、圧縮されたＡＶ信号を第１のプロセッサ１０８へ提供する。第１のプロセッサ１０８は、圧縮されたＡＶ信号を解凍してＡＶ信号を生成し、次いでＡＶ信号を信号出力装置１１２へ提供する。信号出力装置１１２は、ＡＶ信号に従って出力ＡＶ信号ＯＶＳＳを生成する。従って、出力ＡＶ信号ＯＶＳＳが、ユーザによってディスプレイ（例えば、テレビまたはＬＣＤディスプレイ）の信号入力端末に供給される限り、ユーザは所望のチャンネルを見ることができる。
【００２１】
上述の好ましい実施の形態において、Ｗｉ−Ｆｉ通信プロトコルは、８０２．１１ｂまたは８０２．１１ｇのＷｉ−Ｆｉ通信プロトコルスタンダードを使用してもよい。しかし、本発明の他の用途において、例えば、他のスタンダードを使用してもよいが、それに限定されない。さらに、上述の好ましい実施の形態において、リモートコントローラ１００は、ユーザによって入力されたコマンドに応答して制御コマンド信号ＣＭＳを出力することができるリモータ１２２をさらに具備してもよい。
【００２２】
要約すると、本発明は、ワイヤレス伝送技術を使用するワイヤレスコントローラを提供し、ワイヤレスコントローラ１００が、テレビ（またはＬＣＤディスプレイ）とケーブルとの間に設置される限り、テレビを任意の所望の場所に配置することができ、物理的なケーブルレイアウトおよび空間的限界によって限定されないようにする。さらに、チャンネル信号がもはやケーブルによってではなく、本発明のリモートコントローラ１００によって伝送されるため、もはやケーブルレイアウトを設計する必要はなく、室内環境を台無しにせずにユーザの安全性が維持されるようにする。
【００２３】
本発明は、その特定の実施の形態を参照して説明されているが、本発明の精神から逸脱することなく、説明された実施の形態の変形がなされてもよいことが、当業者には明らかである。従って、本発明の範囲は、添付の特許請求の範囲によって定義され、上述の説明によってではない。
【図面の簡単な説明】
【００２４】
【図１】本発明の好ましい実施の形態に従ったリモートコントローラの回路ブロック図を概略的に示す。
【符号の説明】
【００２５】
１００  リモートコントローラ
１０２  第１のＡＶ送受信装置
１０４  第２のＡＶ送受信装置
１０６  レシーバ
１０８  第１のプロセッサ
１１０  第１のワイヤレス伝送モジュール
１１２  信号出力装置
１１４  第２のワイヤレス伝送モジュール
１１６  第２のプロセッサ
１１８  チャンネル選択装置
１２０  画像抽出装置
１２２  リモータ
【図１】
2007189656.tif 000003